(57)【要約】【課題】電源トランスの放熱特性を良好にし、大電流にも対応可能な電源装置を提供する。【解決手段】１次巻線と２次巻線とを有する電源トランス５を介して入力電圧を別の電圧に変換する電源装置であって、前記入力電圧を別の電圧に変換する電源装置本体部１を実装したプリント配線板３と、放熱板１０と、導体板からなるバスバー７ａとを備え、前記電源トランス５は、前記放熱板１０上に配置され且つ前記バスバー７ａを介して前記電源装置本体部１に接続されることを特徴とする。【選択図】図１
2009224392.tif 000002
【特許請求の範囲】
【請求項１】
１次巻線と２次巻線とを有する電源トランスを介して入力電圧を別の電圧に変換する電源装置であって、
前記入力電圧を別の電圧に変換する電源装置本体部を実装したプリント配線板と、
放熱板と、
導体板からなるバスバーとを備え、
前記電源トランスは、前記放熱板上に配置され且つ前記バスバーを介して前記電源装置本体部に接続されることを特徴とする電源装置。
【請求項２】
前記電源トランスを前記放熱板に固定する固定金具と、
前記電源トランスと前記固定金具との間に配置された第１絶縁板と、
前記固定金具と前記バスバーとの間に配置された第２絶縁板と、
を備えることを特徴とする請求項１記載の電源装置。
【発明の詳細な説明】
【技術分野】
【０００１】
本発明は、電源トランスを介して入力電圧を別の電圧に変換する電源装置に関し、特に、電源トランスとしてのコンバータトランスの部品実装構造に関する。
【背景技術】
【０００２】
ＤＣ−ＤＣコンバータやＡＣ−ＤＣコンバータ等の電源装置には、電源トランスとしてコンバータトランスが用いられている。このコンバータトランスを有する電源装置がプリント配線板に実装されて使用される。この場合、プリント配線板に実装されたコンバータトランスは、プリント配線板に放熱される。このため、強制空冷等の直接風によりコンバータトランスを冷却することによりコンバータトランスを放熱していた。
【０００３】
従来のこの種の電源装置として、特許文献１は、発生する熱の放出が効率的に行なわれ、放熱特性が良好な放熱構造を備えた電源トランス及びスイッチング電源であり、１次コイル及び２次コイルと、その双方が巻回される軸芯部を有するコア部品を備えた電源トランスにおいて、２次コイルが環状部の内側に孔部を有する平板状コイルであり、その平板状コイルは、端子部と放熱用足部が環状部につながり、その放熱用足部が孔部を挟んで端子部と対向する側から突出する。
【０００４】
また、従来のこの種の電源装置として、特許文献２は、トランスやチョークコイルの電気的接続の信頼性を確保しつつ組込工程を簡略化するＤＣ−ＤＣコンバータであり、トランスの１次コイルと２次コイルは共に、板状導電部材により形成された巻線部と、巻線部から引き出された接続端部とを備え、１次コイルの接続端部とインバータとの間、及び２次コイルの接続端部と整流回路との間のうちの少なくとも一方をワイヤボンディングにより電気的に接続している。
【特許文献１】特開２００４−３０３８２３号公報
【特許文献１】特開２００６−２８８０５２号公報
【発明の開示】
【発明が解決しようとする課題】
【０００５】
しかしながら、コンバータトランスや特許文献１の電源トランスや特許文献２のトランスの様に消費電力が大きくなってくると、このトランスをプリント配線板に実装する方法では、放熱能力に限界がある。
【０００６】
本発明の課題は、電源トランスの放熱特性を良好にし、大電流にも対応可能な電源装置を提供することにある。
【課題を解決するための手段】
【０００７】
上記課題を解決するために、第１の発明は、１次巻線と２次巻線とを有する電源トランスを介して入力電圧を別の電圧に変換する電源装置であって、前記入力電圧を別の電圧に変換する電源装置本体部を実装したプリント配線板と、放熱板と、導体板からなるバスバーとを備え、前記電源トランスは、前記放熱板上に配置され且つ前記バスバーを介して前記電源装置本体部に接続されることを特徴とする。
【０００８】
また、第２の発明は、第１の発明において、前記電源トランスを前記放熱板に固定する固定金具と、前記電源トランスと前記固定金具との間に配置された第１絶縁板と、前記固定金具と前記バスバーとの間に配置された第２絶縁板とを備えることを特徴とする。
【発明の効果】
【０００９】
第１の発明によれば、電源トランスを放熱板上に実装することにより電源トランスの放熱特性が良くなる。また、電源トランスからバスバーを介してプリント配線板の電源装置本体部に接続したので、大電流にも対応可能である。
【００１０】
第２の発明によれば、固定金具により電源トランスが放熱板に固定できるとともに、第１絶縁板及び第２絶縁板により電源トランスとバスバーと固定金具との相互間の絶縁を図ることができる。
【発明を実施するための最良の形態】
【００１１】
以下、本発明の実施の形態を、図面を参照しながら詳細に説明する。
【実施例１】
【００１２】
図１は、本発明の実施例１に係る電源装置のプリント配線板実装図である。図1に示す電源装置は、コンバータトランス（本発明の電源トランス）を介して入力電圧を別の電圧に変換するものであり、例えば、ＤＣ−ＤＣコンバータやＡＣ−ＤＣコンバータなどである。
【００１３】
この電源装置は、電源装置制御部１、プリント配線板３、コンバータトランス５、導体板からなるバスバー７ａ，１５ａ、ダイオード９ａ，９ｂ，９ｃ，９ｄ、アルミ板等の熱伝導性の良い材料からなるヒートシンク１０を有して構成される。
【００１４】
プリント配線板３は、入力電圧を別の電圧に変換する電源装置制御部１を実装する。コンバータトランス５は、コアに巻回された１次巻線６ａと２次巻線６ｂ，６ｃとを有する。ヒートシンク１０（本発明の放熱板）の一方の面上には、プリント配線板３、コンバータトランス５、バスバー７ａ，７ｂ、ダイオード９ａ，９ｂ，９ｃ，９ｄが配置されている。ヒートシンク１０の他方の面には、一定間隔毎にフィン１０ａが設けられており、複数のフィン１０ａにより表面積を大きくすることにより、放熱効果を良くしている。
【００１５】
細長いバスバー７ａは、両端が折り曲げており、フラットトランス５の２次巻線電極６ｂには、バスバー７ａの一端が半田付けされている。バスバー７ａの他端は、プリント配線板３の電源装置本体部１に接続されている。ダイオード９ａ，９ｂ，９ｃ，９ｄは、整流平滑回路を構成する。
【００１６】
このように構成された実施例１の電源装置によれば、コンバータトランス５をヒートシンク１０上に実装することによりコンバータトランス５の放熱特性が良くなる。また、コンバータトランス５からバスバー７ａを介してプリント配線板３の電源装置本体部１に接続したので、大電流にも対応可能である。
【００１７】
また、コンバータトランス５の消費電力に合わせて、ヒートシンク１０を大型化又はヒートシンク１０を空冷等の方法で放熱特性を良くることができる。    
【実施例２】
【００１８】
図２は、本発明の実施例２に係る電源装置のプリント配線板実装図である。図２（ａ）は、実施例２の電源装置の断面図、図２（ｂ）は実施例２の電源装置の上面図、図２（ｃ）は実施例２の電源装置の側面図である。
【００１９】
図２（ａ）、図２（ｂ）に示すように、コンバータトランス５は、固定金具１３によりヒートシンク１０にネジ１７でネジ止め固定されている。固定金具１３とコンバータトランス５との間には、絶縁スペーサ１１ａ（本発明の第１絶縁板）が配置されている。固定金具１３とバスバー７ａとの間には、絶縁スペーサ１１ｂが配置されている。
【００２０】
ダイオード９ａ〜９ｄは、ネジ２０によりヒートシンク１０にネジ止め固定されている。ダイオード９ａ〜９ｂの一端は、バスバー１８ａに接続され、ダイオード９ｃ〜９ｄの一端は、バスバー１８ｂに接続されている。ダイオード９ａ〜９ｂの他端は、バスバー１５ａに接続され、ダイオード９ｃ〜９ｄの一端は、バスバー１５ｂに接続されている。
【００２１】
このように、実施例２の電源装置によれば、固定金具１３によりコンバータトランス５がヒートシンク１０に固定できるとともに、絶縁スペーサ１１ａ，１１ｂによりコンバータトランス５とバスバー７ａと固定金具１３との相互間の絶縁を図ることができる。
【産業上の利用可能性】
【００２２】
本発明は、ＤＣ−ＤＣコンバータやＡＣ−ＤＣコンバータ等の電源装置に利用可能である。
【図面の簡単な説明】
【００２３】
【図１】本発明の実施例１に係る電源装置のプリント配線板実装図である。
【図２】本発明の実施例２に係る電源装置のプリント配線板実装図である。
【符号の説明】
【００２４】
１  電源装置本体部
３  プリント配線板
５  コンバータトランス
６ａ  １次巻線
６ｂ，６ｃ  ２次巻線
７ａ，１５ａ，１５ｂ，１８ａ，１８ｂ  バスバー
９ａ，９ｂ,９ｃ，９ｄ  ダイオード
１０  ヒートシンク
１０ａ  フィン
１１ａ，１１ｂ  絶縁スペーサ
１３  固定金具
１７，２０  ネジ
【図１】
2009224392.tif 000003
【図２】
2009224392.tif 000004